(57)【要約】  本発明は、第１のクランプ領域（２）及び第２のクランプ領域（３）を備え、クランプ領域（２，３）が第１の回動軸（４）を中心に回転できるようにクランプ領域（２，３）が接続され、第１のハンドル要素（６）及び旋回可能な方式で第１のハンドル要素（６）に接続される第２のハンドル要素（７）も備え、第１のハンドル要素（６）が第１のクランプ領域（２）に接続される、シートメタル（８）を曲げるための折り畳み式ペンチ（１）に関する。強固で同時に取り扱いやすいツールを取得すべく、本発明によって、第２のハンドル要素（７）が第２の回動軸（５）を中心に回転できるように第２のハンドル要素（７）が第２のクランプ領域（３）に接続され 、その結果、第１のハンドル要素（６）が伝達位置から第２のハンドル要素（７）に対して旋回されるとき、クランプされたシートメタル（８）を曲げるべく、第２のハンドル要素（７）に対する第１のハンドル要素（６）のさらなる旋回運動が第２のハンドル要素（７）に対して第２の回動軸（５）を中心に第２のクランプ領域（３）と共に第１のクランプ領域（２）の回転運動を引き起こした後、クランプ領域（２，３）の間に配置されたシートメタル（８）をクランプ領域（２，３）でクランプできるように、第１のクランプ領域（２）が第２のクランプ領域（３）に対して移動することが提供される。
2021501057.tif 000002
【特許請求の範囲】
【請求項１】
シートメタルを曲げるためのポータブルに使用可能な折り畳み式ペンチであって、
前記折り畳み式ペンチは、第１のクランプ領域と第２のクランプ領域とを備え、前記第１のクランプ領域及び前記第２のクランプ領域が第１の回動軸を中心に回転できるように前記第１のクランプ領域及び前記第２のクランプ領域が接続され、前記折り畳み式ペンチはまた、第１のハンドル要素と、旋回可能な方式で前記第１のハンドル要素に接続される第２のハンドル要素とを備え、前記第１のハンドル要素が前記第１のクランプ領域に接続され、前記第２のハンドル要素が第２の回動軸を中心に回転できるように前記第２のハンドル要素が前記第２のクランプ領域に接続され、その結果、前記第１のハンドル要素が移動方向において伝達位置から前記第２のハンドル要素に対して旋回されるとき、クランプされた前記シートメタルを曲げるべく、前記移動方向における前記第２のハンドル要素に対する前記第１のハンドル要素のさらなる旋回運動が前記第２のハンドル要素に対して前記第２の回動軸を中心に前記第２のクランプ領域と共に前記第１のクランプ領域の回転運動を引き起こした後、前記第１のクランプ領域と前記第２のクランプ領域との間に配置されたシートメタルを前記第１のクランプ領域及び前記第２のクランプ領域でクランプできるように、前記第１のクランプ領域が前記第２のクランプ領域に対して移動する、
折り畳み式ペンチ。
【請求項２】
前記第１の回動軸及び前記第２の回動軸が略平行である、請求項１に記載の折り畳み式ペンチ。
【請求項３】
前記第１の回動軸と前記第２の回動軸との間の全体領域にわたって前記第１のクランプ領域及び前記第２のクランプ領域で前記シートメタルを基本的にクランプできる、請求項１又は２に記載の折り畳み式ペンチ。
【請求項４】
前記第１のクランプ領域と前記第２のクランプ領域との間、及び／又は前記第２のクランプ領域と前記第２のハンドル要素との間の回転可能な接続が、ヒンジ、特に、連結ヒンジによって形成される、請求項１から３のいずれか一項に記載の折り畳み式ペンチ。
【請求項５】
前記第１のハンドル要素が円盤状の中間要素を介して前記第１のクランプ領域に接続され、前記第１のハンドル要素が、好ましくは、特に、端部に配置される少なくとも２つの接続位置を介して前記円盤状の中間要素に接続される、請求項１から４のいずれか一項に記載の折り畳み式ペンチ。
【請求項６】
前記第２のハンドル要素が円盤状の中間要素を介して前記第２のクランプ領域に接続され、前記第２のハンドル要素が、好ましくは、特に、端部に配置される少なくとも２つの接続位置を介して前記円盤状の中間要素に接続される、請求項１から５のいずれか一項に記載の折り畳み式ペンチ。
【請求項７】
前記第１のクランプ領域が固定された方式で前記第１のハンドル要素に接続され、前記第１のハンドル要素及び前記第２のハンドル要素がお互いに重みがかかる伝達位置において、前記第１のクランプ領域及び前記第２のクランプ領域がお互いに１０°から９０°、特に１５°から３５°、好ましくは略２５°の開き角度で配置され、 シートメタルを収容すべく、開いている、請求項１から６のいずれか一項に記載の折り畳み式ペンチ。
【請求項８】
前記伝達位置において、前記第２のクランプ領域に対して前記第２の回動軸を中心に前記第２のハンドル要素を移動するのに必要なトルクが、前記第２のクランプ領域に対して前記第１の回動軸を中心に前記第１のハンドル要素を移動するのに必要なトルクより大きく、その結果、前記伝達位置から外への前記第１のハンドル要素の移動が、前記第２のクランプ領域に対する前記第１のハンドル要素の移動を最初に開始する、請求項１から７のいずれか一項に記載の折り畳み式ペンチ。
【請求項９】
少なくとも１つのバネが前記第２の回動軸を形成するジョイント、特に、前記第２の回動軸を形成する連結ヒンジに提供され、前記ジョイントの移動を開始するために必要なトルクを画定すべく、このバネで、お互いに対して移動できる前記ジョイントの部分の間に作用する摩擦力を前記ジョイントに加えることができ、特に、止めねじによってバネ力を調整できる、請求項８に記載の折り畳み式ペンチ。
【発明の詳細な説明】
【技術分野】
【０００１】
本発明は、第１のクランプ領域及び第２のクランプ領域を備え、クランプ領域が第１の回動軸を中心に回転できるようにクランプ領域が接続され、第１のハンドル要素及び旋回可能な方式で第１のハンドル要素に接続される第２のハンドル要素も備え、第１のハンドル要素が第１のクランプ領域に接続される、シートメタルを曲げるための折り畳み式ペンチに関する。
【０００２】
従来技術から、シートメタルを折り畳む又はシートメタルを曲げるための様々なツールが公知となっている。しかしながら、従来技術からのツールは、扱いにくくて重く、そのため、上記ツールは、例えば、簡単な方式でファサード上でシートメタルを折り畳む又は曲げるのに適してない。
【０００３】
これは、本発明によって対処される。本発明の目的は、軽くて取り扱いやすく、かつ、ポータブルに用いられることができる、最初に挙げられたタイプのツールを規定することである。
【０００４】
本発明によれば、本目的は、第２のハンドル要素が第２の回動軸を中心に回転できえるように第２のハンドル要素が第２のクランプ領域に接続され、その結果、第１のハンドル要素が伝達位置から第２のハンドル要素に対して旋回されるとき、クランプされたシートメタルを曲げるべく、第２のハンドル要素に対する第１のハンドル要素のさらなる旋回運動が第２のハンドル要素に対して第２の回動軸を中心に第２のクランプ領域と共に第１のクランプ領域の回転運動を引き起こした後、クランプ領域の間に配置されたシートメタルをクランプ領域でクランプできるように、第１のクランプ領域が第２のクランプ領域に対して移動する、最初に挙げられたタイプの折り畳み式ペンチで実現される。
【０００５】
本発明の範囲内で、折り畳み式ペンチが具現化される場合に、簡単な方式でシートメタルを曲げるためにコンパクトで軽量なデバイスを取得でき、ハンドル要素がお互いに対して移動するとき、シートメタルがクランプ領域の間で最初にクランプされ、かつ、ハンドル要素がお互いに対してさらに移動するとき、第２のハンドル要素に対してシートメタルと共にクランプ領域が移動することに起因してシートメタルが続いて第２の回動軸を中心に曲がることが分かる。このタイプの折り畳み式ペンチが、例えば、ファサード作業のためにポータブルにも用いられることができるように、軽量でコンパクトであるように具現化され得る。通常、便利な操作の容易性を保証すべく、第１の回動軸を中心にお互いに対するクランプ領域が移動することの結果としてシートメタルがクランプされ、かつ、ハンドル要素の連続運動で第２の回動軸を中心にシートメタルのクランプされたセクションと共にクランプ領域が移動することの結果としてシートメタルが曲がる。
【０００６】
折り畳み式ペンチから完成した折り畳まれたシートメタルを再び解放すべく、第１のハンドル要素がシートメタルをクランプして折り畳むための移動と反対方向に簡単に移動でき、その結果、折り畳まれたシートメタルが折り畳み式ペンチから解放され得る。
【０００７】
第１の回動軸及び第２の回動軸が略平行であることが有益であることが示されている。回転軸の間の距離は、典型的には、２０ｃｍより短く、特に、１０ｃｍより短く、所望の折り畳みの長さ又は曲げられるシートメタルのセクションの長さに対応する。クランプ領域は、シートメタルに均一に負荷をかけてきれいなエッジを取得すべく、シートメタルが好ましくは第１の回動軸と第２の回動軸との間の領域で十分にクランプ可能であるように、典型的には、第１の回動軸から第２の回動軸に伸びる。
【０００８】
第１の回動軸と第２の回動軸の間の全体領域にわたってクランプ領域でシートメタルを基本的にクランプできる場合、それは有益である。したがって、クランプは、回転軸の間の領域で連続的であり得る。結果として、クランプされたシートメタル又は圧力ばめによってクランプ領域の間の場所に固定されたシートメタルをきれいに曲げることが、滑らかな曲げエッジで実現される。
【０００９】
構造的に単純で同時に強固である設計が、クランプ領域の間、及び／又は第２のクランプ領域と第２のハンドル要素との間の回転可能な接続が、ヒンジ、特に、連結ヒンジによって形成される場合に実現される。したがって、折り畳みの長さにわたる均一な力伝達も保証される。
【００１０】
第１のハンドル要素が円盤状の中間要素を介して第１のクランプ領域に接続され、第１のハンドル要素が、好ましくは、特に、端部に配置される少なくとも２つの接続位置を介して円盤状の中間要素に接続されることが効果的であることが示される。これは、折り畳みの長さにわたる力の均一な適用を保証し、その結果、特に滑らかで高品質な曲げエッジが取得され得る。
【００１１】
同様に、第２のハンドル要素が円盤状の中間要素を介して第２のクランプ領域に接続され、第２のハンドル要素が、好ましくは、特に、端部に配置される少なくとも２つの接続位置を介して円盤状の中間要素に接続される場合、それは有利であることが示される。
【００１２】
特にコンパクトな運搬を可能にすべく、第１のクランプ領域が固定された方式で、好ましくは、１００°より小さい、特に５０°より小さい、好ましくは１５°から３５°の角度で第１のハンドル要素に接続される場合、それは有利である。ハンドル要素が、その後、ハンドル要素が伝達位置においてお互いに重みがかかり、その伝達位置からシートメタルのクランプ及び折り畳みが直接可能であるように配置され得る。典型的に、第１のクランプ領域及び第１のハンドル要素が、第１の回動軸の領域で接続される。
【００１３】
第１のクランプ領域が固定された方式で第１のハンドル要素に接続され、ハンドル要素がお互いに重みがかかる伝達位置において、クランプ領域がお互いに１０°から９０°、特に１５°から３５°、好ましくは略２０°の開き角度で配置され、 シートメタルを収容すべく、開いている場合、それは、有益である。一方で、省スペースの運搬が、したがって可能である。その一方、折り畳み式ペンチが、その後、伝達位置から直接シートメタルを折り畳むのに用いられ得る。
【００１４】
第２の回動軸を中心とした回転が、第１のクランプ領域がぴったりと第２のクランプ領域に接続されるまで生じないことを保証すべく、おそらくクランプ領域の間でクランプされたシートメタルを介して、 好ましくは、伝達位置において、第２のクランプ領域に対して第２の回動軸を中心に第２のハンドル要素を移動するのに必要なトルクが、第２のクランプ領域に対して第１の回動軸を中心に第１のハンドル要素を移動するのに必要なトルクより大きく、その結果、伝達位置から外への第１のハンドル要素の移動が、第２のクランプ領域に対する第１のハンドル要素の移動を最初に開始することが提供される。構造的に、これは、非常に多様な方法で、特に、異なる程度の容易さで移動するジョイントを介して実装でき、そのジョイントは回転軸を形成する。
【００１５】
少なくとも１つのバネが第２の回動軸を形成するジョイント、特に、第２の回動軸を形成する連結ヒンジに提供され、ジョイントの移動を開始するために必要なトルクを画定すべく、このバネで、お互いに対して移動できるジョイントの部分の間に作用する摩擦力をジョイントに加えることができ、特に、止めねじによってバネ力を調整できる場合、異なる程度の容易さで移動する回転軸の強固な設計が、容易に実現され得る。例えば、ヒンジの移動又は第２のハンドル要素に対する第２の回動軸を中心とした第２のクランプ領域の移動が、バネによって生成される摩擦トルク又はお互いに対して移動できる第２の回動軸の部分に作用する摩擦力を克服するときにのみ可能であるように、お互いに対して移動する第２の回動軸の部分に作用するバネ荷重圧力要素が提供され得る。当然ながら、ヒンジの長さにわたって均一な摩擦力を加えるべく、複数のバネが提供されることも可能である。したがって、バネは、例えば、第２の回動軸を形成するジョイントの第１の部分に直接作用し、この第１の部分が上記ジョイントの第２の部分に対して移動でき、かつ、バネ力で第２の部分に第１の部分を押し付け、その結果、第２の部分に対して第１の部分を移動すべく、バネ力によって画定される摩擦力及び摩擦係数を克服することが必要である。
【００１６】
本発明の追加の特徴、利点、及び効果が、以下に示される例示的な実施形態から生じる。それにより参照される図面が以下に示される。
【図面の簡単な説明】
【００１７】
【図１】本発明による折り畳み式ペンチである。
【図２】本発明による折り畳み式ペンチである。
【図３】本発明による折り畳み式ペンチである。
【図４】シートメタルと共に本発明による折り畳み式ペンチである。
【図５】図４からの本発明による折り畳み式ペンチの詳細図である。
【図６】シートメタルと共に本発明による折り畳み式ペンチである。
【図７】シートメタルと共に本発明による折り畳み式ペンチのさらなるセットである。
【発明を実施するための形態】
【００１８】
図１〜図３は、異なる操作状態の本発明による折り畳み式ペンチ１を示す。図に示すように、折り畳み式ペンチ１は、第１のハンドル要素６及び第２のハンドル要素７を備え、第１のハンドル要素６が固定された方式で第１のクランプ領域２に接続される。第１のハンドル要素６及び第１のクランプ領域２は、示されるように、それらが第１の回動軸４を中心に回転できるように第２のクランプ領域３に接続され、その結果、シートメタル８又は同様のもののセクションをクランプ領域２、３の間でクランプできる。
【００１９】
第２のクランプ領域３が、第１の回動軸４に平行である第２の回動軸５を介して第２のハンドル要素７に回転可能に接続され、その結果、クランプされたシートメタルを介して接続されるクランプ領域２、３の第２の回動軸５を中心とした回転運動の結果として、クランプ領域２、３の間でクランプされたシートメタル８を曲げる又は折り畳むことができる。
【００２０】
第２のクランプ領域３に対する第１の回動軸４を中心とした第１のクランプ領域２の移動と、第２の回動軸５を中心とした２つのクランプ領域２、３の曲げ移動との両方を、第２のハンドル要素７に対する第１のハンドル要素６の移動によって開始することができ、その結果、シートメタル８のクランプ及び曲げが、第２のハンドル要素７に対する第１のハンドル要素６の連続運動で行われることができる。
【００２１】
図１において、折り畳み式ペンチ１が、折り畳み式ペンチ１が最小限のスペース要求を有し、ハンドル要素６、７がお互いに基本的に重みがかかる伝達位置で示される。シートメタル８のクランプ及び折り畳みが、この伝達位置から直接可能である。そうするべく、折り畳まれるべきシートメタル８が、折り畳み式ペンチ１のクランプ領域２、３の間に配置され、この領域は、この伝達位置において略１０°から３５°の開き角度βで開かれている。
【００２２】
クランプ領域２、３の間に配置されたシートメタル８をクランプすべく、又は圧力ばめ内のクランプ領域２、３の間の場所に上記シートメタル８を固定すべく、折り畳み式ペンチ１の第１のハンドル要素６が、移動方向１３で図１に示される位置から 時計回りに折り畳み式ペンチ１の第２のハンドル要素７に対して移動する。第１のクランプ領域２が固定された方式で第１のハンドル要素６に接続されるので、第１のハンドル要素６の回転運動はまた、第２のクランプ領域３に対する第１のクランプ領域２の回転運動を引き起こし、 それにより、第１のハンドル要素６が第２のハンドル要素７に対して時計回りに移動するとき、クランプ領域２、３の間に配置されたシートメタル８がクランプ領域２、３によってクランプされる。クランプ領域２、３が閉じている、すなわち、クランプ領域２、３の間の開き角度βが０°であるこのタイプの位置は、図２に示される。
【００２３】
図２に示される位置から、第２のハンドル要素７に対する第１のハンドル要素６が移動方向１３にさらに移動するとき、特にクランプ領域２、３がすでに閉じているので、第２のクランプ領域３に対する第１の回動軸４を中心とした第１のハンドル要素６のさらなる移動がこれ以降不可能である。図２に示されるクランプ位置から移動方向１３で時計回りに第２のハンドル要素７に対する第１のハンドル要素６のさらなる移動は、したがって、第２の回動軸５を中心とする時計回りにシートメタル８と共にクランプ領域２、３の、及び第１のハンドル要素６の回転運動を引き起こす。この移動において、クランプ領域２、３の間でクランプされたシートメタル８が曲げられる。クランプ領域２、３が閉じられ、それに応じて第２のハンドル要素７に対して旋回する曲げ位置が、図３に示される。ここで、第１のクランプ領域２が略５０°の角度αで中間要素１０に接続され、この中間要素１０を介して第１のクランプ領域２が固定された方式で第１のハンドル要素６に接続されることも理解され得る。
【００２４】
折り畳み式ペンチ１から完成した折り畳まれ又は曲げられたシートメタル８を解放すべく、第１のハンドル要素６がクランプ及び曲げるための移動方向１３の反対方向、すなわち、この場合反時計回りに簡単に移動し、その結果、クランプ領域２、３が開かれてシートメタル８が解放される。
【００２５】
図４〜図６は、図３に示されるような操作位置における本発明による折り畳み式ペンチ１を示すが、クランプ領域２、３の間でクランプされるシートメタル８と共に示す。図に示すように、シートメタル８が第２の回動軸５の領域で曲げられる。これは、前述の移動シーケンスの結果として生じる。
【００２６】
示されるように、ハンドル要素６、７が円盤状の中間要素１０を介してクランプ領域２、３に接続され、シートメタル８への均一な力伝達及び適用を保証すべく、ハンドル要素６、７が円盤状の中間要素１０の端部領域に配置され、又は端部に配置される接続位置１１でハンドル要素６、７に接続される。
【００２７】
特に、図６において、力を特に均一な方式で伝達すべく、第１の回動軸４及び第２の回動軸５が、この場合、連結ヒンジ９によって構造的に形成されることが理解され得る。
【００２８】
当然ながら、板状の中間要素１０及び回転軸４、５の長さが、折り畳まれ又は曲げられるべきシートメタル８に従って選択され、必要ならば個々に適合可能である。同様に、ハンドル要素６、７の長さ及び回転軸４、５からのハンドル要素６、７の距離が特定の用途の場合に適合されることができ、その結果、 折り畳み式ペンチ１の簡単な作動及びシートメタル８の簡単な折り畳みが対応するレバー長さを介してそれぞれ可能である。
【００２９】
図７は、シートメタル８と共に本発明による折り畳み式ペンチ１のさらなる例示的な実施形態を示す。 折り畳み式ペンチ１が図６に示される折り畳み式ペンチ１と同様に基本的に具現化されるが、第２の回動軸５の領域にバネをさらに備え、このバネは止めねじ１２によって連結される。第２の回動軸５を形成する連結ヒンジ９の、お互いに対して移動できる部分の間に作用する摩擦力は、したがって、バネを介して生成され、その結果、第２のクランプ領域３が第２の回動軸５を中心に第２のハンドル要素７に対して移動できる前に、これらのバネによって生成された摩擦トルクが克服される必要がある。そのようなバネが第１の回動軸４に提供されておらず、そのため、第２の回動軸５を中心に第２のハンドル要素７に対して第２のクランプ領域３を回転するためのトルクが、第２のクランプ領域３に対して第１の回動軸４を中心に第１のハンドル要素６を回転するためのトルクより大きい。したがって、図１に示される伝達位置から移動方向１３に第１のハンドル要素６が旋回運動するとき、第２のクランプ領域３に対して第１の回動軸４を中心とした、第１のクランプ領域２と共に第１のハンドル要素６の回転運動が最初に生じ、第２の回動軸５を中心とした、第２のクランプ領域３と共に第１のクランプ領域２の回転運動が、第１のクランプ領域２が第２のクランプ領域３にぴったりと接続され、又はクランプ領域２、３の間でクランプされたシートメタル８又は同様のものをおそらく介してそれに重みがかかるまで生じないことが保証される。折り畳み式ペンチ１が開いている間の一連の移動が、それにより、同様に画定される。これは、ツールの簡単な操作性を保証する。克服されるべき摩擦トルクの量が、それにより、バネのプリテンションを設定できる止めねじ１２を介して調整され得る。
【００３０】
本発明による折り畳み式ペンチ１は、省スペースで、軽量で、取り扱いやすく、そのため、それらは、例えば、ファサード及び同様のものの上でシートメタル８を曲げるのに、ポータブル方式で容易に用いられることもできる。加えて、本発明による折り畳み式ペンチ１は、強固に具現化されて、その結果、それらは、荒い使用条件、特に、建設現場にも適している。
［項目１］
シートメタルを曲げるための折り畳み式ペンチであって、
上記折り畳み式ペンチは、第１のクランプ領域と第２のクランプ領域とを備え、上記クランプ領域が第１の回動軸を中心に回転できるように上記クランプ領域が接続され、上記折り畳み式ペンチはまた、第１のハンドル要素と、旋回可能な方式で上記第１のハンドル要素に接続される第２のハンドル要素とを備え、上記第１のハンドル要素が上記第１のクランプ領域に接続され、上記第２のハンドル要素が第２の回動軸を中心に回転できるように上記第２のハンドル要素が上記第２のクランプ領域に接続され、その結果、上記第１のハンドル要素が伝達位置から上記第２のハンドル要素に対して旋回されるとき、クランプされた上記シートメタルを曲げるべく、上記第２のハンドル要素に対する上記第１のハンドル要素のさらなる旋回運動が上記第２のハンドル要素に対して上記第２の回動軸を中心に上記第２のクランプ領域と共に上記第１のクランプ領域の回転運動を引き起こした後、上記クランプ領域の間に配置されたシートメタルを上記クランプ領域でクランプできるように、上記第１のクランプ領域が上記第２のクランプ領域に対して移動することで特徴づけられる、
折り畳み式ペンチ。
［項目２］
上記第１の回動軸及び上記第２の回動軸が略平行であることで特徴づけられる、項目１に記載の折り畳み式ペンチ。
［項目３］
上記第１の回動軸と上記第２の回動軸との間の全体領域にわたって上記クランプ領域で上記シートメタルを基本的にクランプできることで特徴づけられる、項目１又は２に記載の折り畳み式ペンチ。
［項目４］
上記クランプ領域の間、及び／又は上記第２のクランプ領域と上記第２のハンドル要素との間の回転可能な接続が、ヒンジ、特に、連結ヒンジによって形成されることで特徴づけられる、項目１から３のいずれか一項に記載の折り畳み式ペンチ。
［項目５］
上記第１のハンドル要素が円盤状の中間要素を介して上記第１のクランプ領域に接続され、上記第１のハンドル要素が、好ましくは、特に、端部に配置される少なくとも２つの接続位置を介して上記円盤状の中間要素に接続されることで特徴づけられる、項目１から４のいずれか一項に記載の折り畳み式ペンチ。
［項目６］
第２のハンドル要素が円盤状の中間要素を介して上記第２のクランプ領域に接続され、上記第２のハンドル要素が、好ましくは、特に、端部に配置される少なくとも２つの接続位置を介して上記円盤状の中間要素に接続されることで特徴づけられる、項目１から５のいずれか一項に記載の折り畳み式ペンチ。
［項目７］
上記第１のクランプ領域が固定された方式で上記第１のハンドル要素に接続され、上記ハンドル要素がお互いに重みがかかる伝達位置において、上記クランプ領域がお互いに１０°から９０°、特に１５°から３５°、好ましくは略２０°の開き角度で配置され、 シートメタルを収容すべく、開いていることで特徴づけられる、項目１から６のいずれか一項に記載の折り畳み式ペンチ。
［項目８］
上記伝達位置において、上記第２のクランプ領域に対して上記第２の回動軸を中心に上記第２のハンドル要素を移動するのに必要なトルクが、上記第２のクランプ領域に対して上記第１の回動軸を中心に上記第１のハンドル要素を移動するのに必要なトルクより大きく、その結果、上記伝達位置から外への上記第１のハンドル要素の移動が、上記第２のクランプ領域に対する上記第１のハンドル要素の移動を最初に開始することで特徴づけられる、項目１から７のいずれか一項に記載の折り畳み式ペンチ。
［項目９］
少なくとも１つのバネが上記第２の回動軸を形成するジョイント、特に、上記第２の回動軸を形成する連結ヒンジに提供され、上記ジョイントの移動を開始するために必要なトルクを画定すべく、このバネで、お互いに対して移動できる上記ジョイントの部分の間に作用する摩擦力を上記ジョイントに加えることができ、特に、止めねじによってバネ力を調整できることで特徴づけられる、項目８に記載の折り畳み式ペンチ。
【図１】
2021501057.tif 000003
【図２】
2021501057.tif 000004
【図３】
2021501057.tif 000005
【図４】
2021501057.tif 000006
【図５】
2021501057.tif 000007
【図６】
2021501057.tif 000008
【図７】
2021501057.tif 000009
【国際調査報告】
2021501057.tif 000010
2021501057.tif 000011
2021501057.tif 000012
2021501057.tif 000013